(57)【要約】　　　（修正有）【課題】ファンの駆動制御を温度に対応してきめ細かく行うことにより、ファンの静粛性と省エネルギー性を向上させる。【解決手段】周囲温度に対応してその抵抗値が変化するサーミスタＲｔを有し、サーミスタＲｔの温度対応電圧Ｖｔを出力する温度検出回路２と、基準電圧Ｖｒｅｆを出力する基準電圧回路３と、温度対応電圧Ｖｔと基準電圧Ｖｒｅｆを比較する増幅回路４とから構成し、この増幅回路４の出力をファンに供給するファン駆動制御回路１において、増幅回路４が、演算増幅器Ｕ１と、トランジスタＱ１と、帰還回路４ａとを有し、この帰還回路４ａに帰還する方向が順方向となるように接続されたダイオードＤ１とを有する。この構成により、周囲温度が設定温度より低い時はファンを停止させ、周囲温度が設定温度以上になると、ファンを駆動させ、且つ、周囲温度に比例してファンの回転速度を制御することができる。【選択図】　図１
2004112892.tif 000002
【特許請求の範囲】
【請求項１】
周囲温度に対応してその抵抗値が変化する温度検出素子を有し前記温度検出素子の抵抗値に対応する温度対応電圧を出力する温度検出回路と、設定温度に対応する基準電圧を出力する基準電圧回路と、前記温度対応電圧と前記基準電圧を比較してその差を増幅する増幅回路とから構成され、前記増幅回路の出力を電源としてファンに供給するファン駆動制御回路において、
前記増幅回路が、前記温度対応電圧と前記基準電圧を比較してその差を増幅する演算増幅器と、前記演算増幅器の出力を増幅するトランジスタと、前記トランジスタの出力を前記演算増幅器の入力に負帰還する帰還回路とを有し、
前記帰還回路が、前記トランジスタの出力を前記演算増幅器の入力に帰還する方向が順方向となるように接続された整流器を有し、
前記周囲温度が前記設定温度より低い場合は、前記整流器に逆方向電圧がかかり前記帰還回路がオフされるため前記演算増幅器の出力が前記トランジスタをオフするとともに、前記ファンに供給する電源をオフにし、
前記周囲温度が前記設定温度以上の場合は、前記演算増幅器の出力が前記トランジスタをオンにして前記ファンに供給する電源をオンにするとともに、前記整流器に順方向電圧がかかり前記帰還回路がオンとなり負帰還が働いて、前記増幅回路により前記周囲温度に比例して前記ファンに供給する電源の出力電圧を変化させるように構成したことを特徴とするファン駆動制御回路。
【請求項２】
前記基準電圧回路が、前記増幅回路により前記ファンに前記電源が供給されている時に、前記基準電圧を下げて前記設定温度を下げるヒステリシス回路を有するように構成したことを特徴とする請求項１に記載のファン駆動制御回路。
【発明の詳細な説明】
【０００１】
【発明の属する技術分野】
本発明は、電子機器等の発熱対策に利用される冷却用ファンのファン駆動制御回路に関する。
【０００２】
【従来の技術】
情報通信技術の進展により、電子回路を利用した電子機器はあらゆる分野で利用されているが、処理能力の向上に合わせて電子回路の使用電力量は増大している。低消費電力の電子素子や中央演算処理装置等も研究・開発されているが、電子機器の小型化・高密度化にともない、電子回路による発熱対策を行い電子機器の温度上昇を抑えることは、安定動作をさせる上で非常に重要な問題となっている。
【０００３】
電子機器の発熱を抑える手段として冷却用ファンが用いられており、直流電圧で動作するものが多く使用されている。冷却用ファンは、プロペラを直流モータで回転させて空気の流れを作り、電子機器内部と外部の空気を循環させて熱を排気したり、消費電力が大きいため発熱する素子（中央処理装置等）に直接送風して冷却するものであるが、プロペラの回転による回転音や風切音等の騒音や震動が発生する。従来、電子機器の多くは専用の機械室等に設置されていたため、この騒音や震動は特に問題では無かったが、パーソナルコンピュータ（以下、「パソコン」と呼ぶ）や通信機器等の普及により一般の事務室や家庭に設置されるようになり騒音・震動対策が必要となっている。
【０００４】
また、機器の小型化にともない持ち運んで利用する携帯型の電子機器（例えばノート型のパソコン）が増えており、これらの電子機器はバッテリで駆動するように構成されている。この携帯型電子機器においても冷却ファンは利用されており、この冷却ファンを駆動することによりバッテリの電力を消費する。ところが、バッテリは限られた電力しか蓄積できないため、バッテリの電力を有効利用して、駆動時間を長くする必要があることから、冷却ファンを含めて携帯型電子機器を構成する電子回路の消費電力を抑えることが重要となっている。
【０００５】
直流電圧で動作する冷却ファンは、電圧を制御するとプロペラの回転速度（回転数）が印可された電圧に比例して変化する性質を有している（回転速度が変化するとこのプロペラで発生する風量もそれに比例して変化する）。このため、この性質を利用して、冷却ファンの静粛性（駆動音、風切音や震動を抑える）や省エネルギー性（消費電力を抑える）を向上させる方法として、電子機器内部の温度状態によって供給する電圧を制御して冷却ファンのプロペラの回転速度を変化させたり、不要な場合は停止するという方法が取られたファン駆動制御回路が用いられている（例えば、非特許文献１参照）。以下、ファン駆動制御回路の従来例について図８〜図１０を用いて説明する。
【０００６】
図８は、温度検出器で検出した温度により冷却ファンに供給する電圧を制御して冷却ファン５４のプロペラの回転速度を変化させるファン駆動制御回路５０の例である。ファン駆動制御回路５０は、周囲温度に対応した温度対応電圧Ｖｔを出力する温度検出器５１と、設定温度に対応した基準電圧Ｖｒｅｆを出力する基準電圧回路５２と、温度対応電圧Ｖｔと基準電圧Ｖｒｅｆを比較してその電圧の差を増幅し冷却ファン５４の駆動電圧として出力する増幅回路５３と、出力電圧が＋Ｖ１の第１の電源５５と、出力電圧が＋Ｖ２の第２の電源５６とから構成されている。
【０００７】
温度検出器５１は温度が低い時は温度対応電圧Ｖｔが低く、温度の上昇に合わせて温度対応電圧Ｖｔが増加するように構成されている。基準電圧回路５２は、第１の電源５５から抵抗Ｒ５１、抵抗Ｒ５２の順に直列に接続され、抵抗Ｒ５２の一端が接地されて構成されており、第１の電源５５の電圧＋Ｖ１をこの抵抗Ｒ５１，Ｒ５２で分圧し、抵抗Ｒ５１，Ｒ５２の接続点にある出力端から、抵抗Ｒ５２の電圧を設定温度に対応した基準電圧Ｖｒｅｆとして出力するように構成されている。
【０００８】
また、増幅回路５３は、演算増幅器Ｕ５１と、ＮＰＮ型トランジスタＱ５１と、抵抗Ｒｆ５０，Ｒ５３，Ｒ５４とから構成されている。演算増幅器Ｕ５１は、第２の電源５６が正電源端子に接続され、負電源端子が接地されており、出力端子が抵抗Ｒ５４を介してトランジスタＱ５１のベースに接続されている。また、トランジスタＱ５１は、抵抗Ｒ５３で第２の電源５６がベースにかけられ、コレクタが第２の電源５６に接続されたエミッタ接地の増幅回路を構成している。なお、トランジスタＱ５１のエミッタから抵抗Ｒｆを介して演算増幅器Ｕ５１の逆相入力端子に負帰還されている。この演算増幅器Ｕ５１の正相入力端子に温度検出器５１が接続され、逆相入力端子に基準電圧回路５２の出力端が接続されるとともに、トランジスタＱ５１のエミッタに冷却ファン５４の電源供給端子の一端が接続され、冷却ファン５４の電源供給端子の他端が接地される。
【０００９】
このトランジスタＱ５１は増幅回路５３の出力を冷却ファン５４の駆動電源として供給するための電流バッファ用の増幅回路として働いているため、演算増幅器Ｕ５１が冷却ファン５４を駆動するために十分な電流出力を有していれば、トランジスタＱ５１および抵抗Ｒ５３で構成される増幅回路および演算増幅器Ｕ５１とこの増幅回路を接続する抵抗Ｒ５４は不要である。したがって、増幅回路５３は演算増幅器Ｕ５１とトランジスタＱ５１を組み合わせて大出力電流タイプの反転増幅器を構成しており、温度対応電圧Ｖｔの基準電圧Ｖｒｅｆからの変化分に比例した電圧を冷却ファン５４に供給している。
【００１０】
このような構成によると、温度対応電圧Ｖｔと基準電圧Ｖｒｅｆの差が増幅回路５３で増幅されて冷却ファン５４に供給されるため、温度検出器５１の周囲温度に合わせて冷却ファン５４に供給される電圧が制御され、このため冷却ファン５４の回転速度が制御される。ここで、抵抗Ｒ５１，Ｒ５２，Ｒｆ５０は冷却ファン５４に印可される電圧のオフセットおよび温度検出器５１から出力される温度対応電圧Ｖｔの変化に対するゲイン設定用であり、また、増幅回路５３を構成する抵抗Ｒ５４は、トランジスタＱ５１のベースへ過度の電流が供給されないようにすると同時に演算増幅器Ｕ５１の出力へ過度の電流が流入するのを制限するための電流制限抵抗である。
【００１１】
図９は、温度検出器６１で検出した温度により冷却ファン６４に供給する電源をオン／オフするファン駆動制御回路６０を示している。ファン駆動制御回路６０は、周囲温度に対応した温度対応電圧Ｖｔを出力する温度検出器６１と、設定温度に対応した基準電圧Ｖｒｅｆを出力する基準電圧回路６２と、温度対応電圧Ｖｔと基準電圧Ｖｒｅｆを比較して冷却ファン６４に供給する電源をオン／オフする電源制御回路６３と、出力電圧が＋Ｖ１の第１の電源６５と、出力電圧が＋Ｖ２の第２の電源６６とから構成されている。温度検出器６１と基準電圧回路６２は上述の温度検出器５１および基準電圧回路５２と同様の構成および動作である。
【００１２】
電源制御回路６３は、コンパレータＵ６１と、ＰＮＰ型トランジスタＱ６１と、抵抗Ｒ６３，Ｒ６４と、ダイオードＤ６２とから構成されている。コンパレータＵ６１は、第２の電源６６が正電源端子に接続され、負電源端子が接地されており、出力端子が抵抗Ｒ６４を介してトランジスタＱ６１のベースに接続されている。また、トランジスタＱ６１は、抵抗Ｒ６３で第２の電源６６がベースにかけられ、エミッタが順方向に接続されたダイオードＤ６２（トランジスタＱ６１のエミッタにダイオードＤ６２のカソードが接続されている）を介して第２の電源６６に接続されており、コレクタ接地の増幅回路を構成している。この電源制御回路６３のコンパレータＵ６１の正相入力端子に基準電圧回路６２の出力端が接続され、逆相入力端子に温度検出器６１が接続されるとともに、トランジスタＱ６１のコレクタに冷却ファン６４の電源供給端子の一端が接続され、冷却ファン６４の電源供給端子の他端が接地される。
【００１３】
このような構成によると、温度検出器６１の温度対応電圧Ｖｔが基準電圧Ｖｒｅｆより低い時（温度が低い時）には、コンパレータＵ６１の出力は高い電圧（正電源端子に印可された第２の電源６６の電圧＋Ｖ２とほぼ等しいか、それより少し低い値）となりトランジスタＱ６１のベースに印可されるため、ベース電流が流れず、トランジスタＱ６１はオフ状態となるため、エミッタ−コレクタ間には電流が流れず冷却ファン６４に電源は供給されない。また、温度検出器６１の温度対応電圧Ｖｔが基準電圧Ｖｒｅｆ以上の時（温度が高い時）にはコンパレータＵ６１の出力は低い電圧（負電源端子が接地されているためほぼ０Ｖ）となり、その電圧がトランジスタＱ６１のベースに印可されるため、ベース電流が流れ、トランジスタＱ６１がオン状態となるため、エミッタ−コレクタ間に電流が流れ、冷却ファン６４に電力が供給される。このようにトランジスタＱ６１はコンパレータＵ６１の出力により冷却ファン６４に供給する電源をオン／オフするスイッチの働きをする。
【００１４】
なお、抵抗Ｒ６４はコンパレータＵ６１の出力およびトランジスタＱ６１のベースに過度に電流が流れないようにする電流制限抵抗である。また、抵抗Ｒ６３はコンパレータＵ１の出力がオープンにならなければ無くても良い。ダイオードＤ６２は、コンパレータＵ６１の出力電圧がトランジスタＱ６１を完全にオフするベース電圧になるようにオフセットを加えるためであり、トランジスタＱ６１の本来のベース−エミッタ間電圧に、ダイオードＤ６２の順方向降下電圧を加えた値を、コンパレータＵ６１から見たトランジスタＱ６１のベース−エミッタ間電圧とすることにより、コンパレータＵ６１の出力電圧が第２の電源６６の出力電圧＋Ｖ２より少し低い値でもトランジスタＱ６１を完全にオフできるようにするものである。よって、コンパレータＵ６１の出力が正電源端子に加えられた第２の電源６６の出力電圧＋Ｖ２まで出力することが可能であるならば（Ｒａｉｌ−ｔｏ−Ｒａｉｌのコンパレータであるならば）ダイオードＤ６２は無くても良いし、コンパレータＵ６１の最大出力電圧の特性によってはダイオードＤ６２を増やす必要がある。
【００１５】
図１０は、温度検出器７１により検出した温度により、冷却ファン７４の回転速度を低速回転と高速回転の２段階に制御するファン駆動制御回路７０を示している。ファン駆動制御回路７０は、周囲温度に対応した温度対応電圧Ｖｔを出力する温度検出器７１と、設定温度に対応した基準電圧Ｖｒｅｆを出力する基準電圧回路７２と、温度対応電圧Ｖｔと基準電圧Ｖｒｅｆを比較して冷却ファン７４の駆動電源の出力電圧を２段階に制御する電源制御回路７３と、出力電圧が＋Ｖ１の第１の電源７５と、出力電圧が＋Ｖ２の第２の電源７６とから構成されている。温度検出器７１と基準電圧回路７２は上述の温度検出器５１および基準電圧回路５２と同様の構成および動作である。
【００１６】
電源制御回路７３は、コンパレータＵ７１と、ＰＮＰ型トランジスタＱ７１と、抵抗Ｒ７３，Ｒ７４と、ダイオードＤ７２とツェナダイオードＤｚ７０とから構成されている。コンパレータＵ７１は、第２の電源７６が正電源端子に接続され、負電源端子が接地されており、出力端子が抵抗Ｒ７４を介してトランジスタＱ７１のベースに接続されている。また、トランジスタＱ７１は、抵抗Ｒ７３で第２の電源７６がベースにかけられ、エミッタが順方向に接続されたダイオードＤ２（トランジスタＱ７１のエミッタにダイオードＤ２のカソードが接続されている）を介して第２の電源７６に接続されており、コレクタ接地の増幅回路を構成している。また、トランジスタＱ７１のコレクタ−エミッタ間にコレクタ側がアノードとなるようにツェナダイオードＤｚ７０が接続されている。この電源制御回路７３のコンパレータＵ７１の正相入力端子に基準電圧回路７２の出力端が接続され、逆相入力端子に温度検出器７１が接続されるとともに、トランジスタＱ７１のコレクタに冷却ファン７４の電源入力端子の一端が接続され、冷却ファン７４の電源入力端子の他端が接地される。
【００１７】
このような構成によると、温度対応電圧Ｖｔと基準電圧Ｖｒｅｆの差とトランジスタＱ７１のオン／オフの関係は上述のファン駆動制御回路６０と同様になる。よって、温度対応電圧Ｖｔが基準電圧Ｖｒｅｆより低い時は、トランジスタＱ７１はオフ状態であり、冷却ファン７４には、第２の電源７６の電圧＋Ｖ２よりダイオードＤ７２とツェナダイオードＤｚ７０の電圧降下分だけ低い電圧が印可されているため、低速で回転する。一方、温度対応電圧Ｖｔが基準電圧Ｖｒｅｆ以上の時は、トランジスタＱ７１はオン状態であり、冷却ファン７４に印可される電圧は第２の電源７６の電圧＋Ｖ２からダイオードＤ７２の電圧降下とトランジスタＱ７１のエミッタ−コレクタ間電圧の和だけ低い電圧となるが、トランジスタＱ１がオン状態のときはエミッタ−コレクタ間電圧は小さい（理想的には０Ｖ）ため、冷却ファン７４は高速で回転する。なお、抵抗Ｒ７３，Ｒ７４の用途については、上述の従来例と同様である。
【００１８】
【非特許文献１】
インテル株式会社、”ＮＬＸ　Ｅｌｅｃｔｒｉｃａｌ　Ｄｅｓｉｇｎ　Ｓｕｇｇｅｓｔｉｏｎｓ　Ｖｅｒｓｉｏｎ　１．２”、米国、１９９８年７月、ｐ．２７
【００１９】
【発明が解決しようとする課題】
以上のように、アナログ素子を用いた従来のファン駆動制御回路では、図８に示したファン駆動制御回路５０が温度に比例して冷却ファンの回転速度を変化させるだけの動作をし、図９に示したファン駆動制御回路６０が温度に対応して冷却ファンへの供給電圧をオン／オフするだけの動作をし、あるいは、図１０に示したファン駆動制御回路７０が温度に対応して冷却ファンの回転速度を低速／高速の２段階で切り替えるだけの動作をするため、いずれか一つの動作をする回路しか無く、きめ細かい冷却ファンの制御を行うことはできなかった。また、ディジタル回路でファン駆動制御回路を構成して冷却ファンをきめ細かく制御する方法もあるが、回路が複雑で且つ製造コストが高くなるため、適用範囲が限定されてしまうという問題もあった。
【００２０】
しかしながら、電子機器の普及が拡大している現状では、冷却ファンの静粛性や省エネルギー性の向上に対する要求は大きくなっており、冷却ファンによる冷却が不要な時には電源をオフし、必要なときでも必要最低限の動作をするように制御を行うファン駆動制御回路を安価に提供する必要がある。
【００２１】
本発明はこのような課題に鑑みてなされたものであり、冷却ファンの駆動制御をきめ細かく行うことにより、冷却ファンの静粛性と省エネルギー性を向上させたファン駆動制御回路を安価に提供することを目的とする。
【００２２】
【課題を解決するための手段】
前記課題を解決するために、本発明に係るファン駆動制御回路は、周囲温度に対応してその抵抗値が変化する温度検出素子（例えば、実施形態におけるサーミスタＲｔ）を有しこの温度検出素子の抵抗値に対応する温度対応電圧を出力する温度検出回路と、設定温度に対応する基準電圧を出力する基準電圧回路と、温度対応電圧と基準電圧を比較してその差を増幅する増幅回路とから構成され、この増幅回路の電源としてファン（例えば、実施形態における冷却ファン５）に供給するファン駆動制御回路において、増幅回路が、温度対応電圧と基準電圧を比較してその差を増幅する演算増幅器と、この演算増幅器の出力を増幅するトランジスタと、このトランジスタの出力を演算増幅器の入力に負帰還する帰還回路とを有し、帰還回路が、トランジスタの出力を演算増幅器の入力に帰還する方向が順方向となるように接続された整流器（例えば、実施形態におけるダイオードＤ１）を有するように構成する。
【００２３】
このような構成によると、周囲温度が設定温度より低い場合は、整流器に逆方向の電圧がかかり帰還回路がオフされるため演算増幅器の出力によりトランジスタがオフされるとともに、電源がオフされてファンを停止させることができる。また、周囲温度が設定温度以上の場合は、演算増幅器の出力がトランジスタをオンにして電源をオンにするとともに、整流器に順方向の電圧がかかるため帰還回路がオンとなり負帰還が働いて、増幅回路により周囲温度に比例して電源の出力電圧を変化させることができるので、周囲温度に比例した回転速度でファンを駆動することができる。このため、周囲温度が低くファンを駆動する必要の無い場合は電源供給をオフしファンを停止し、周囲温度が上がってファンを駆動する必要がある場合は、ファンに電源を供給してファンを駆動するとともに、その温度に応じた風量となるように供給電圧を調整してファンの回転数を制御するため、ファンの駆動による静粛性と省エネルギー性を向上することができる。
【００２４】
なお、増幅回路によりファンに電源が供給された時に、基準電圧を下げて設定温度を下げるヒステリシス回路を基準電圧回路に有するように構成することが好ましい。
【００２５】
このような構成によると、周囲温度が上昇しファンに電源が供給された瞬間に設定温度が下がるため、周囲温度が設定温度近傍にある時でもノイズ等の影響を除き確実にファンに電源を供給することができるため、動作を安定させることができる。
【００２６】
【発明の実施の形態】
以下、本発明の好ましい実施形態について図面を参照して説明する。まず、本発明に係るファン駆動制御回路が適用されるファンユニット１２について図２及び図３を用いて説明する。図２は本発明に係るファン駆動制御回路が搭載された基板１０とこの基板１０に接続される冷却ファン５及び電源ケーブル１１を示している。基板１０には後述するファン駆動制御回路が搭載されており、図２ではそのうち、サーミスタＲｔだけを図示している。また、基板１０には冷却ファン５の電源供給端子５ａと接続するためのソケット１０ａと、電源ケーブル１１の端子１１ａと接続するためのソケット１０ｂとが設けられている。この実施例ではサーミスタＲｔを基板１０に配設しているが、他の測定点までリードを引き出して配設することも可能である。
【００２７】
図３は、本発明に係るファン駆動制御回路が搭載された基板１０をファンユニット１２に搭載した場合を示している。図３（Ａ）に示す通り、ファンユニット１２は、基板１０と冷却ファン５及び電源ケーブル１１が一体に配設されており、図３（Ｂ）に示すように、例えばラック１３に実装して使用される。図３（Ａ）において、電源ケーブル１１にはユニット着脱用コネクタ１１ｂが配設されており、ラック等に実装したときに、このユニット着脱用コネクタ１１ｂからファンユニット１２に電源が供給される。また、図３（Ｂ）はラック１３に対して４組のファンユニット１２（１２ａ〜１２ｄ）を実装した場合を示している。なお、本実施例ではラック１３に実装するためのファンユニット１２に本発明に係るファン駆動制御回路を適用した場合について説明したが、本発明がこの形態に限定されるわけではない。
【００２８】
【実施例】
次に、図面を用いてファン駆動制御回路の実施例について説明を行う。
【００２９】
【第１実施例】
図１は本発明に係るファン駆動制御回路の第１実施例の構成を示す回路図である。ファン駆動制御回路１は、周囲温度に対応した温度対応電圧Ｖｔを出力する温度検出回路２と、設定温度に対応した基準電圧Ｖｒｅｆを出力する基準電圧回路３と、温度対応電圧Ｖｔと基準電圧Ｖｒｅｆを比較してその差を増幅する増幅回路４と、出力電圧＋Ｖ１の第１の電源６と、出力電圧＋Ｖ２の第２の電源７とから構成されており、増幅回路４の出力が電源として冷却ファン５に供給されている。
【００３０】
温度検出回路２はサーミスタＲｔと抵抗Ｒｂを直列に接続して構成されており、サーミスタＲｔの一端が第１の電源６に接続され、抵抗Ｒｂの一端が接地されており、サーミスタＲｔと抵抗Ｒｂの接続点に出力端２ａがあり、この出力端２ａから抵抗Ｒｂの電圧をサーミスタの周囲温度に対応した温度対応電圧Ｖｔとして出力する。サーミスタとは、マンガン、コバルト等の酸化物をいくつか組み合わせて、１５００℃程度の高温で焼き固めて作った半導体であり、この半導体の抵抗値が温度によって大きく変化する性質を利用して温度測定回路等に利用される素子である。一般的には温度上昇に対して抵抗値が下がる負性抵抗サーミスタが利用されており、抵抗と同等に扱え、取り扱いが容易である。
【００３１】
ここで、温度検出回路２から出力される温度対応電圧Ｖｔについて、図４を用いて説明する。図４（Ａ）は図１に示した温度検出回路２と同じものであり、この温度検出回路２の出力端２ａを開放した時の出力電圧Ｖｓとこの出力端２ａから見た回路の抵抗Ｒｓは次式（１），（２）のようになる。
【００３２】
【数１】
Ｖｓ＝＋Ｖ１・Ｒｂ／（Ｒｔ＋Ｒｂ）　　…　（１）
Ｒｓ＝Ｒｔ・Ｒｂ／（Ｒｔ＋Ｒｂ）　　　…　（２）
【００３３】
よって、テブナンの定理より、図４（Ａ）の温度検出回路２は図４（Ｂ）の等価回路２′に置き換えることができ、サーミスタＲｔに上述の負性抵抗サーミスタを利用した場合、温度が上昇するとサーミスタＲｔの抵抗値が下がり式（１）よりＶｓが上昇するため、温度が上昇すると温度対応電圧Ｖｔが上昇する温度検出回路２とすることができる。なお、温度検出回路２のサーミスタＲｔと抵抗Ｒｂを入れ替えると、温度が上昇すると温度対応電圧Ｖｔが下降するように構成でき、そのような構成の温度検出回路に対応したファン駆動制御回路を実現できることは言うまでもない。また、本実施例では、サーミスタＲｔを利用して温度検出回路２を構成しているが、本発明がこの素子に限定されるものではなく、温度の変化によってその抵抗値が変化する素子または出力電圧が変化する回路であれば、温度検出回路２として利用することができる。
【００３４】
基準電圧回路３は、抵抗Ｒ１と抵抗Ｒ２を直列に接続して構成されており、抵抗Ｒ１の一端が第１の電源６に接続され、抵抗Ｒ２の一端が接地されており、抵抗Ｒ１，Ｒ２の接続点に出力端３ａがあり、第１の電源６の電圧＋Ｖ１を抵抗Ｒ１，Ｒ２で分圧して、この出力端３ａから抵抗Ｒ２の電圧を基準電圧Ｖｒｅｆとして出力する。この基準電圧回路３の出力端３ａを開放した時の電圧Ｖｒと出力端３ａからみた抵抗Ｒｒは次式（３），（４）で表され、温度検出回路２と同様にテブナンの定理より電圧Ｖｒと抵抗Ｒｒで等価回路に置き換えることができる（図示せず）。
【００３５】
【数２】
Ｖｒ＝＋Ｖ１・Ｒ２／（Ｒ１＋Ｒ２）　　…　（３）
Ｒｒ＝Ｒ１・Ｒ２／（Ｒ１＋Ｒ２）　　　…　（４）
【００３６】
基準電圧回路３から出力される基準電圧Ｖｒｅｆは、ファン駆動制御回路１において、冷却ファン５を起動あるいは停止させる温度に対応した電圧であり、冷却ファン５の駆動を開始させたい温度（この温度を、以降では「設定温度」と呼ぶ）における温度検出回路２の温度対応電圧Ｖｔと基準電圧Ｖｒｅｆが同じ値になるように抵抗Ｒ１，Ｒ２の値を調整して決める。
【００３７】
増幅回路４は、演算増幅器Ｕ１と、ＰＮＰ型トランジスタＱ１と、抵抗Ｒｆ，Ｒ３，Ｒ４と、コンデンサーＣｆと、ダイオードＤ１，Ｄ２と、ツェナダイオードＤｚとから構成されている。演算増幅器Ｕ１は正電源端子が第２の電源７に接続され、負電源端子が接地されている。演算増幅器Ｕ１の正相入力端子には基準電圧回路３の出力端３ａが接続されており、逆相入力端子には温度検出回路２の出力端２ａが接続されており、出力端子は抵抗Ｒ４を介してトランジスタＱ１のベースに接続されている。また、コンデンサーＣｆが演算増幅器Ｕ１の逆相入力端子と出力端子をつないで接続されている。ここで、抵抗Ｒ４は演算増幅器Ｕ１の出力端子およびトランジスタＱ１のベースに過度の電流が流れないようにするための電流制限抵抗であり、コンデンサーＣｆは、演算増幅器Ｕ１とトランジスタＱ１の組み合わせによる位相まわりにより発振現象が起こる場合の位相補償を行うための位相補償コンデンサである。演算増幅器Ｕ１の位相余裕が十分にあり、トランジスタＱ１の位相まわりに対しても発振する条件の帰還にならなければコンデンサＣｆは無くても良い。
【００３８】
トランジスタＱ１のベースには第２の電源７が抵抗Ｒ３を介して接続され、エミッタには第２の電源７がダイオードＤ２を介して接続され、コレクタは冷却ファン５の電源入力端子の一端に接続されており、これらの素子でコレクタ接地の増幅器を形成している。なお、冷却ファン５の電源入力端子の他端は接地されており、ダイオードＤ２は、そのカソードがトランジスタＱ１のエミッタに接続される向きで配置されている。ここで、抵抗Ｒ３はトランジスタＱ１のベースに加えるバイアス用であり、演算増幅器Ｕ１の出力がオープンにならなければ無くても構わない。また、ダイオードＤ２は、演算増幅器Ｕ１の出力電圧がトランジスタＱ１を完全にオフするベース電圧になるようにオフセットを加えるためであり、トランジスタＱ１の本来のベース−エミッタ間電圧に、ダイオードＤ２の順方向降下電圧を加えた値を、演算増幅器Ｕ１から見たトランジスタＱ１のベース−エミッタ間電圧とすることにより、演算増幅器Ｕ１の出力電圧が第２の電源７の電圧＋Ｖ２より少し低い値でもトランジスタＱ１をオフできるようにするものである。よって、演算増幅器Ｕ１の出力が正電源端子に加えられた第２の電源７の電圧＋Ｖ２まで出力することが可能であるならば（Ｒａｉｌ−ｔｏ−Ｒａｉｌの演算増幅器であるならば）、ダイオードＤ２は無くても良いし、演算増幅器Ｕ１の最大出力電圧の特性によってはダイオードＤ２を増やす必要がある
【００３９】
そして、トランジスタＱ１のコレクタと演算増幅器Ｕ１の正相入力端子をつなぐように帰還回路４ａが接続されており、帰還回路４ａはトランジスタＱ１のコレクタ側から順に、ダイオードＤ１と抵抗ＲｆとツェナダイオードＤｚが直列に接続されている。なお、ダイオードＤ１はトランジスタＱ１の出力を演算増幅器Ｕ１の正相入力端子に帰還する方向が順方向となるように接続（ダイオードＤ１のアノードがトランジスタＱ１のコレクタに接続）されており、ツェナダイオードＤｚはそのアノードが演算増幅器Ｕ１の正相入力端子に接続されている。ＰＮＰ型トランジスタＱ１をコレクタ接地の増幅器として構成しているため、トランジスタＱ１のベース電圧を制御してこのトランジスタＱ１をオン／オフすることにより冷却ファン５へ供給する電源のオン／オフをするスイッチとして動作させると同時に、トランジスタＱ１がオン状態のときにその出力は反転増幅器と同じく位相が反転した増幅器として働く電流バッファとなる。よって、この増幅器の出力（トランジスタＱ１のコレクタからの出力）を帰還回路４ａで演算増幅器Ｕ１の正相入力端子に負帰還させることにより、増幅回路４は、演算増幅器Ｕ１とトランジスタＱ１を合わせて大出力電流タイプの反転増幅器として動作するため、トランジスタＱ１がオン状態で、冷却ファン５に電源が供給されているときは、温度検出器２の温度対応電圧Ｖｔと基準電圧Ｖｒｅｆの差に比例し、抵抗Ｒ１，Ｒ２，Ｒｆで設定された増幅度で出力された電圧が冷却ファン５に供給される。
【００４０】
以上のように構成されたファン駆動制御回路１において、サーミスタＲｔの周囲温度が設定温度より低い場合は、温度対応電圧Ｖｔと基準電圧Ｖｒｅｆの差が正となるため、演算増幅器Ｕ１の出力は高い電圧（正電源端子に印可された第２の電源７の出力電圧＋Ｖ２とほぼ等しいかそれより少し低い値）となりトランジスタＱ１のベースに印可されるため、トランジスタＱ１のベース−エミッタ間の電位差が無くなり、トランジスタＱ１のベースに電流が流れず、トランジスタＱ１はオフの状態となる。そのため、エミッタ−コレクタ間にも電流が流れず、冷却ファン５に電源が供給さないため停止した状態となる。なお、トランジスタＱ１がオフの状態のときは、帰還回路４ａにも電流が流れないため、帰還回路４ａを経由した負帰還が働かず、演算増幅器Ｕ１はいわゆるコンパレータとして動作するので、演算増幅器Ｕ１の出力は上述の高い電圧を維持する。また、帰還回路４ａのダイオードＤ１は、トランジスタＱ１がオフの状態のときに、このダイオードＤ１に逆方向電圧がかかるため基準電圧回路３から冷却ファン５に向かって流れようとする電流を阻止するため、基準電圧回路３からこの帰還回路４ａを経由して冷却ファン５に電源が供給されるのを防いでいる。また、このダイオードＤ１が無い場合に、帰還回路４ａに電流が流れると、基準電圧回路３の出力電圧Ｖｒｅｆが変動するため、基準電圧として利用することができなくなるので、ダイオードＤ１は、この基準電圧Ｖｒｅｆの変動を防ぐためにも挿入されている。
【００４１】
サーミスタＲｔの周囲温度が上昇し設定温度と等しくなると、温度対応電圧Ｖｔと基準電圧Ｖｒｅｆの差が０Ｖとなるため、演算増幅器Ｕ１の出力電圧は下がり基準電圧Ｖｒｅｆと同じ電圧が出力される。このため、トランジスタＱ１のベース−エミッタ間に電位差が生じ、トランジスタＱ１のベースに電流が流れてオン状態となり、エミッタ−コレクタ間にも電流が流れて冷却ファン５に電源が供給される。また、トランジスタＱ１がオン状態になると、ダイオードＤ１に順方向電圧が加わるため帰還回路４ａにも電流が流れ、増幅回路４は上述の通り反転増幅器として動作する。そのため、サーミスタＲｔの周囲温度が設定温度以上になり、温度対応電圧Ｖｔと基準電圧Ｖｒｅｆの差が０Ｖまたは負となるときは、温度対応電圧Ｖｔと基準電圧Ｖｒｅｆの差に比例して増幅された電圧が冷却ファン５に供給されるため、サーミスタＲｔの周囲温度に比例した回転数で、冷却ファン５を動作させることができる。
【００４２】
なお、帰還回路４ａのツェナダイオードＤｚは、設定温度以上の時に冷却ファン５に印可される電圧の初期値を基準電圧Ｖｒｅｆより高くするためのものである。これは、帰還回路４ａの帰還方向と逆方向にツェナダイオードＤｚが接続されているため、帰還回路４ａに電流が流れ出す電圧は、冷却ファン５に印可される電圧が基準電圧ＶｒｅｆよりもツェナダイオードＤｚの降伏電圧（ツェナ電圧）の分だけ高い値となるときだからである。そのため、ツェナダイオードＤｚは、冷却ファン５の動作範囲の仕様が各種設定上、基準電圧Ｖｒｅｆでは低すぎる場合に付加するものであり、基準電圧Ｖｒｅｆが冷却ファン５の動作範囲内であれば、無くても良い。
【００４３】
増幅回路４を構成するトランジスタＱ１は、ＰＮＰタイプを使用しているが、これは、冷却ファン５への供給電圧を上げて動作範囲を広くするためである。このファン駆動制御回路１においてトランジスタＱ１にＮＰＮタイプのものを使用することも可能であるが、この場合、冷却ファン５へ供給される電圧は、トランジスタＱ１のベースに印可される電圧（演算増幅器Ｕ１の出力電圧）からトランジスタＱ１のベース−エミッタ間電圧だけ低い電圧までしか供給されない。しかし、本実施例のようにＰＮＰタイプのものを使用した場合に冷却ファン５へ供給される電圧は、ダイオードＤ２が不要なＲａｉｌ−ｔｏ−Ｒａｉｌの演算増幅器Ｕ１を使用した場合、第２の電源７の電圧＋Ｖ２からコレクタ−エミッタ間飽和電圧を引いた大きさの電圧まで供給することができ、冷却ファン５の動作範囲を広くすることができる。
【００４４】
以上のように、本第１実施例に係るファン駆動制御回路１は、冷却ファン５の駆動制御をきめ細かく行うことができるため、冷却ファン５の静粛性および省エネルギー性が向上するとともに、このファン駆動制御回路１を構成する部品はいずれも一般に広く普及している入手が容易なアナログ素子であり、回路構成も簡単であるため、安価に製造することが可能である。
【００４５】
【第２実施例】
図５は本発明に係るファン駆動制御回路の第２実施例を示す回路図である。第２実施例におけるファン駆動制御回路１ａは、第１実施例のファン駆動制御回路１を基本回路として、この基本回路であるファン駆動制御回路１の基準電圧回路３にヒステリシス回路３ｂを加え、合わせてスイッチ回路８を加えた構成となっている。よって、第１実施例と同じ、温度検出回路２、増幅回路４および帰還回路４ａについての説明は省略する。なお、ファン駆動制御回路１ａにおいて、冷却ファン５に並列に接続された抵抗ＲＩは、冷却ファン５が接続されていない時に、冷却ファン５への電源供給端が確実に接地されるように挿入しているものであり、基本回路には不要であり省いても良い。
【００４６】
ヒステリシス回路３ｂは、ＮＰＮ型トランジスタＱ２と抵抗Ｒｈ，Ｒ５，Ｒ６とから構成されており、抵抗Ｒ５，Ｒ６を直列に接続し、Ｒ５の一端をトランジスタＱ１のコレクタに接続し、Ｒ６の一端を接地し、抵抗Ｒ５，Ｒ６の接続点をトランジスタＱ２のベースに接続している。そして、トランジスタＱ２のコレクタを抵抗Ｒｈを介して基準電圧回路３の抵抗Ｒ２と並列になるように、抵抗Ｒ１と抵抗Ｒ２の接続点（出力端）３ａに接続しており、さらに、トランジスタＱ２のエミッタを接地している。
【００４７】
このような構成によると、第１実施例で説明した通り、サーミスタＲｔの周囲温度が設定温度より低い時は、トランジスタＱ１はオフ状態であるため、冷却ファン５に電源は供給されておらず、ヒステリシス回路３ｂのトランジスタＱ２のベースにも電圧は印可されないため、トランジスタＱ２のベース−エミッタ間の電位差は無いため、ベース電流は流れない。そのため、トランジスタＱ２はオフ状態であり、トランジスタＱ２のコレクタ−エミッタ間に電流が流れないため、抵抗Ｒｈには電流がながれず、よって、基準電圧回路３は抵抗Ｒ１，Ｒ２で分圧され、抵抗Ｒ２の電圧を基準電圧Ｖｒｅｆとして出力する。
【００４８】
そして、サーミスタＲｔの周囲温度が上昇して設定温度以上になると、トランジスタＱ１がオン状態となるため、冷却ファン５に電源が供給され、それによりトランジスタＱ２のベース−エミッタ間に電位差が生じ、抵抗Ｒ５を介してトランジスタＱ２のベースに電流が流れ込みトランジスタＱ２がオン状態となる。なお、抵抗Ｒ６はトランジスタＱ２のベース保護のために使われているが、回路動作としては無くても可能である。トランジスタＱ２がオン状態になると、トランジスタＱ２のコレクタ−エミッタ間に電流が流れ、その結果第１の電源６から抵抗Ｒ１を介して抵抗Ｒｈに電流が流れる。抵抗Ｒｈは基準電圧回路３の抵抗Ｒ２と並列に接続されているため、抵抗Ｒｈで補正された基準電圧Ｖｒｅｆは、抵抗Ｒ１と抵抗Ｒ２，Ｒｈで分圧されて、抵抗Ｒ２，Ｒｈの並列回路の電圧となるが、並列に接続された抵抗Ｒ２，Ｒｈの合成抵抗は抵抗Ｒ２より小さい値となるため、補正された基準電圧Ｖｒｅｆは補正される前の基準電圧Ｖｒｅｆより低い値となる。基準電圧Ｖｒｅｆが低くなるということは、冷却ファン５に電源供給を停止する設定温度が低くなるということを意味する。なお、トランジスタＱ２は、上述のように冷却ファン５に電源が供給されたときに、抵抗Ｒｈに電流を流すスイッチとして動作するものであるため、他の構成素子を利用して実現することも可能である。
【００４９】
図５に▲１▼〜▲４▼の順番でサーミスタＲｔの周囲温度を上下させた時の冷却ファン５への供給電圧の関係を表した図を示す。このように、温度が上昇して冷却ファン５に電源が供給される時の温度は抵抗Ｒ１，Ｒ２に決まる基準電圧となるが、冷却ファン５に電源が供給されると、抵抗Ｒ１，Ｒ２，Ｒｈで決まる基準電圧となるため設定温度が下がるり、温度と冷却ファン５に供給される電圧の関係はヒステリシスループを形成する。なお、冷却ファン５に供給される電圧は第２の電源７から供給される出力電圧＋Ｖ２であるため、それ以上の電圧を冷却ファン５に印可することはできない（実際にはダイオードＤ２やトランジスタＱ１等により電圧降下があるため、電圧＋Ｖ２よりも小さい値となる）。
【００５０】
本第２実施例に係るファン駆動制御回路１ａが搭載された電子機器に電源が投入されてサーミスタＲｔの周囲温度が上がり設定温度に達すると、冷却ファン５に電源が供給されて冷却ファン５が駆動されるため空気の流れが発生し、サーミスタＲｔの周囲温度が下がる。このヒステリシス回路３ｂが無い場合、サーミスタＲｔの周囲温度が下がるとすぐに冷却ファン５が停止し、また周囲温度が上昇するというのを繰り返すことがあるため、設定温度近傍では冷却ファン５に供給される電源のオン／オフが頻繁に発生し、動作が不安定となり、ファン駆動制御回路１ａや冷却ファン５の寿命を短くしたり、消費電力が増加するという問題が発生する可能性がある。一方、ヒステリシス回路３ｂが搭載されている場合、設定温度に達して冷却ファン５の電源が投入されると、設定温度が下がるため、サーミスタＲｔの周囲温度が多少変化する程度では冷却ファン５の電源がオン／オフ動作を繰り返すことはなく、安定した動作を行うことができる。
【００５１】
同様に、周囲温度が下がり冷却ファン５への電源供給が止まると、ヒステリシス回路３ｂのトランジスタＱ２はオフ状態となり、設定温度は元の値（基準電圧回路３の抵抗Ｒ１，Ｒ２で決まる値）になるため、電源が切断された温度の近傍で冷却ファン５の電源のオン／オフを繰り返すことはない。このヒステリシス回路３ｂの利点は、正帰還となる端子に帰還させて温度検出回路２の出力に影響を与えるように構成するのではなく、負帰還側にヒステリシス回路３ｂを加えて第１実施例で示した基本回路に影響を与えることなく機能を追加できることにある。このように構成すれば、温度検出回路２の出力である温度対応電圧ＶｔはサーミスタＲｔの抵抗値の変化にのみ対応して出力されるため、この出力を他の回路にも問題なく利用することが可能となる。
【００５２】
なお、トランジスタ（Ｐチャネル型ＭＯＳＦＥＴ）Ｑ３，抵抗Ｒ７，Ｒ８およびスイッチ８ａで構成されたスイッチ回路８は、冷却ファン５に供給する電源を第２の電源７から直接供給するための回路であり、緊急時等の動作として必要であれば追加するものである。スイッチ回路８のトランジスタＱ３は、第２の電源７にそのソースが接続されており（サブストレートはソースに接続）、トランジスタＱ１のコレクタが接続されている冷却ファン５の電源入力端子にトランジスタＱ３のドレインが接続されている。また、抵抗Ｒ７，Ｒ８が直列で接続されており、抵抗Ｒ７の一端が第２の電源７に接続され、抵抗Ｒ８の一端がスイッチ７ａに接続され、抵抗Ｒ７，Ｒ８の接続点がトランジスタＱ３のゲートに接続されている。緊急時やトランジスタＱ１を制御して冷却ファン５に供給される電圧を制御する必要が無い場合に、スイッチ８ａをオンにすると、第２の電源７の電圧＋Ｖ２が抵抗Ｒ７，Ｒ８で分圧され、抵抗Ｒ８の電圧がトランジスタＱ３のゲートに印可されるため、トランジスタＱ３がオン状態となり、冷却ファン５に直接第２の電源７が供給される。なお、トランジスタＱ１がＰＮＰタイプであることから、スイッチ回路８によりトランジスタＱ１に印可される電圧による逆耐圧等を考慮する必要はない。
【００５３】
以上より、第１実施例と同様に、本第２実施例に係るファン駆動制御回路１０は、冷却ファン５の駆動をきめ細かく制御できるとともに、サーミスタＲｔの周辺温度が設定温度近傍であっても、基準電圧回路３にヒステリシス回路３ｂを加えることにより、安定して動作させることができる。また、ファン駆動制御回路１０を構成する部品も一般に広く普及したアナログ素子で構成されて、回路構成も簡単であるため、安価に製造することができる。
【００５４】
なお、上述の第１及び第２実施例においては、第１および第２の電源６，７をそれぞれ個別の電源としているが、同一の電源から供給することも可能である。但し、冷却ファン５の回転によるノイズは周波数成分が低く、且つ、大きな値であるため、ファン駆動制御回路１を安定して動作させるためには、温度検出回路２や基準電圧回路３に供給される第１の電源６は、安定化回路等を経由したノイズの無い電源として分離することが好ましい。
【００５５】
また、第１及び第２の電源６，７を同一の電源から供給する場合、図７に示すように三端子レギュレータＵ２を接続して、第１の電源６へ冷却ファン５のノイズが印可しないようにすることも可能である。三端子レギュレータＵ２は入力電圧や出力電流が変化してもその出力電圧を一定に保つように作用する素子であり、図７（Ａ）は第１実施例で示したファン駆動制御回路１に三端子レギュレータＵ２を接続して構成したファン駆動制御回路１ｂの例であり、図７（Ｂ）は第２実施例で示したファン駆動制御回路１ａに三端子レギュレータＵ２を接続して構成したファン駆動制御回路１ｃの例である。いずれの場合においても、冷却ファン５に供給する電源である第２の電源７を三端子レギュレータのＩＮ端子に接続し、第１の電源６を三端子レギュレータＵ２のＯＵＴ端子に接続し、ＧＮＤ端子を接地しており、電源は第２の電源７から供給する構成としている。三端子レギュレータは安価に入手可能であり、本発明に係るファン駆動制御回路を安価に製造することが可能である。
【００５６】
従来、このような冷却ファンの制御をする場合、比較的高価なセンサー付きファンユニットを使用していたが、第１実施例または第２実施例に示すような本発明に係るファン駆動制御回路を利用することにより、通常の冷却ファンと組み合わせることで実現できるため、コスト、入手性等で有利である。
【００５７】
【発明の効果】
本発明に係るファン駆動制御回路は、周囲温度に対応してその抵抗値が変化する温度検出素子を有して構成され、この温度検出素子の抵抗値に対応した温度対応電圧を出力する温度検出回路と、設定温度に対応した基準電圧を出力する基準電圧回路と、温度対応電圧と基準電圧の差を比較して増幅する増幅回路とから構成される。そして、この増幅回路が温度対応電圧と基準電圧を比較してその差を増幅する演算増幅器と、この演算増幅器の出力を増幅するトランジスタと、このトランジスタの出力を演算増幅器の入力に負帰還する帰還回路とを有し、この帰還回路に帰還する方向が順方向となるように接続された整流器を有するように構成することにより、温度検出素子の周囲温度が設定温度より低い時はファンを停止させ、設定温度以上の時はファンを駆動し、且つ、その温度に比例してファンの回転速度を制御することができる。そのため、ファンの駆動制御をきめ細かくすることで、静粛性および省エネルギー性を向上することができ、また、回路構成が簡単で、一般に広く普及しているアナログ素子を利用できるため入手も容易であり、安価に提供することが可能となる。
【００５８】
また、ファンに電源が供給された時に、基準電圧回路から出力される基準電圧を下げることで設定温度をさげるヒステリシス回路を基準電圧回路に加えることにより、ファンの電源をオン／オフする時のファン駆動制御回路の動作をより安定したものとすることができる。もちろん、このヒステリシス回路を加えたファン駆動制御回路も回路構成が簡単で、一般に広く普及しているアナログ素子で構成することができるため入手も容易であり、安価に提供することができる。
【図面の簡単な説明】
【図１】本発明に係るファン駆動制御回路の第１実施例の回路図である。
【図２】本発明に係るファン駆動制御回路を搭載する基板を示す図である。
【図３】本発明に係るファン駆動制御回路が搭載されたファンユニットの構成例であり、（Ａ）はファンユニットの平面図であり、（Ｂ）はこのファンユニットをラックに実装した場合の図である。
【図４】温度検出回路の動作を説明する図である、（Ａ）は本発明に係る温度検出回路の回路図であり、（Ｂ）はその等価回路である。
【図５】本発明に係るファン駆動制御回路の第２実施例の回路図である。
【図６】本発明に係るファン駆動制御回路の第２実施例において、温度を変化させたときのファン供給電圧の変化を示すグラフである。
【図７】本発明に係るファン駆動制御回路に同一の電源を供給した場合の回路図であり、（Ａ）は第１実施例に三端子レギュレータを加えた場合を示す回路図であり、（Ｂ）は第２実施例に三端子レギュレータを加えた場合を示す回路図である。
【図８】温度によりファンの回転速度を変化させる従来のファン駆動制御回路の回路図である。
【図９】温度によりファンの電源をオン／オフする従来のファン駆動制御回路の回路図である。
【図１０】温度によりファンの回転速度を低速／高速の２段階に切り替える従来のファン駆動制御回路の回路図である。
【符号の説明】
１　ファン駆動制御回路
２　温度検出回路
３　基準電圧回路
３ｂ　ヒステリシス回路
４　増幅回路
４ａ　帰還回路
５　冷却ファン（ファン）
Ｒｔ　サーミスタ（温度検出素子）
Ｄ１　ダイオード（整流器）
Ｕ１　演算増幅器
Ｑ１　トランジスタ
【図１】
2004112892.tif 000003
【図２】
2004112892.tif 000004
【図３】
2004112892.tif 000005
【図４】
2004112892.tif 000006
【図５】
2004112892.tif 000007
【図６】
2004112892.tif 000008
【図７】
2004112892.tif 000009
【図８】
2004112892.tif 000010
【図９】
2004112892.tif 000011
【図１０】
2004112892.tif 000012